(57)【要約】【課題】キーボードの入力操作が苦手なユーザーにとっても、入力しやすく、また入力内容を確認し易い印刷装置を提供する。【解決手段】ラベルプリンタ１は、印刷情報を作成してテープ１２に印刷するものであって、印刷情報を表示する表示領域部および印刷情報の作成のためのボタン部を表示するテレビジョン４０と接続するための端子９と、該当するボタン部を選択するためのカーソルキー７と、選択したボタン部を確定するための確定キー６と、印刷情報を印刷するヘッドユニットと、を備えていることを特徴とする。【選択図】図１
2009096030.tif 000002
【特許請求の範囲】
【請求項１】
印刷情報を作成して被印刷媒体に印刷する印刷装置であって、
前記印刷情報と前記印刷情報作成のためのボタン部とを表示する外部表示装置を接続するための接続部と、
前記ボタン部を選択するためのコントロール部と、
前記印刷情報を印刷する印刷部と、を備えていることを特徴とする印刷装置。
【請求項２】
請求項１に記載の印刷装置において、
前記被印刷媒体は、カートリッジケースに収容された長尺のテープであることを特徴とする印刷装置。
【請求項３】
請求項１または２に記載の印刷装置において、
前記被印刷媒体を切断する切断部をさらに備えていることを特徴とする印刷装置。
【請求項４】
請求項１から３のいずれか一項に記載の印刷装置において、
前記コントロール部は、前記ボタン部へカーソルを移動させるためのカーソルキーと、
前記カーソルが移動した前記ボタン部を確定するための確定キーと、を有していることを特徴とする印刷装置。
【発明の詳細な説明】
【技術分野】
【０００１】
本発明は、外部表示装置と接続可能な印刷装置に関する。
【背景技術】
【０００２】
従来、印刷されたラベルを作成する印刷装置は、ラベルとなるテープを巻き回したテープカートリッジを着脱自在に収容し、さらに、印刷情報を入力するためのキーボードと、印刷情報を表示するディスプレイと、テープに印刷情報を印刷する印刷手段と、テープを切断する切断手段と、を有している。そのため、この印刷装置を操作するだけで、ラベルの作成を容易に行うことができた（例えば特許文献１の図１および図２）。
【０００３】
【特許文献１】特開平１１−１７０６３８号公報
【発明の開示】
【発明が解決しようとする課題】
【０００４】
この従来の印刷装置は、どこでもラベルを手軽に作成することができ、設置場所をとらず、また、持ち運びが容易なように、キーボード等を含め小型、軽量化が図られていた。しかし、一方では、小型化されたキーボードでは印刷情報の入力操作が困難であったり、ディスプレイが小さくて視認し難い、というような課題が生じていた。特に、キーボード操作が苦手なユーザーにとっては、より扱い難いものとなっていた。
【課題を解決するための手段】
【０００５】
本発明は、上記課題の少なくとも一部を解決するためになされたものであり、以下の適用例または形態として実現することが可能である。
【０００６】
［適用例１］本適用例にかかる印刷装置は、印刷情報を作成して被印刷媒体に印刷するものであって、前記印刷情報と前記印刷情報作成のためのボタン部とを表示する外部表示装置を接続するための接続部と、前記ボタン部を選択するためのコントロール部と、前記印刷情報を印刷する印刷部と、を備えていることを特徴とする。
【０００７】
この印刷装置によれば、接続部へ外部表示装置を接続し、この外部表示装置の画面に印刷部で印刷する印刷情報やボタン部を表示している。外部表示装置としては、家庭用のテレビジョンやパーソナルコンピュータ用のモニター等が使用でき、それらの画面に、印刷情報やボタン部を視認し易いように大きく表示することができる。ボタン部による印刷情報の作成は、ボタン部の中から印刷情報の作成に必要なものを、コントロール部の操作によって選択することにより行える。このような構成で印刷情報を作成および表示する印刷装置は、配置スペースを要する入力操作用のキーボードおよび入力情報を表示する表示部を備える必要がなく、選択操作を行うコントロール部を入力操作用として備えただけの小型で軽量なものである。また、この印刷装置は、キーボードの操作が苦手なユーザーや、小さなキーボードでは操作が難しいと感じるユーザーであっても、コントロール部でボタン部を選択する操作だけで良いため、入力する文字等のボタン部を確実に選択して、印刷情報の作成および印刷をすることができる。
【０００８】
［適用例２］上記適用例にかかる印刷装置において、前記被印刷媒体は、カートリッジケースに収容された長尺のテープであることが好ましい。
【０００９】
この構成によれば、印刷装置は、印刷情報をテープに印刷してラベルとして提供する、いわゆるラベルプリンタ等として好適なものである。テープは、カートリッジケースに収容されているため、長尺であっても、取り扱いが容易であり、印刷装置の印刷部へスムーズに供給される。また、テープ交換等の作業も、カートリッジケース単位で迅速に行うことができる。
【００１０】
［適用例３］上記適用例にかかる印刷装置は、前記被印刷媒体を切断する切断部をさらに備えていることが好ましい。
【００１１】
この構成によれば、印刷装置は、被印刷媒体へ印刷情報を印刷すると共に、切断部によって被印刷媒体を切断することができる構成であるため、長尺の被印刷媒体を用いての印刷が行える。これにより、印刷装置は、非定型な長さの印刷情報のそれぞれに対応して被印刷媒体へ印刷し、印刷がなされた被印刷媒体を任意の長さで切断することができる。そのため、印刷装置は、情報量の多い印刷情報を複数の被印刷媒体に分けることなく印刷することができ、例えば長尺のポスターやラベル等の作成に適したものである。
【００１２】
［適用例４］上記適用例にかかる印刷装置において、前記コントロール部は、前記ボタン部へカーソルを移動させるためのカーソルキーと、前記カーソルが移動した前記ボタン部を確定するための確定キーと、を有していることが好ましい。
【００１３】
この構成によれば、印刷装置が備えるコントロール部は、カーソルキーと確定キーとを有していて、これらキーによって、外部表示装置の画面に表示されたボタン部を選択する操作感は、ゲーム感覚に近似している。そのため、キーボードに比べ操作が単純で分かり易く、且つ、入力もし易い。また、コントロール部がシンプルな構成であるため、省スペースが図られ、印刷装置のより小型化に貢献することができる。
【発明を実施するための最良の形態】
【００１４】
以下、印刷装置の具体的な実施形態について図面に従って説明する。本実施形態の印刷装置は、印刷情報の作成、被印刷媒体であるテープへの印刷およびテープの切断をして、ラベルとして提供するラベルプリンタである。
（実施形態）
【００１５】
図１は、本実施形態にかかるラベルプリンタおよびラベルプリンタへ接続されたテレビジョンの斜視図である。図１に示すように、ラベルプリンタ（印刷装置）１は、略直方体の外観を形成するプリンタケース２と、プリンタケース２の上面側に開閉自在に設けられ図示していない付勢部により開放方向へ付勢されている開閉蓋３と、開閉蓋３を開けるための蓋開放部４と、印刷情報等を表示するためのテレビジョン（外部表示装置）４０と接続ケーブル９ａで接続するための端子（接続部）９と、を備えている。テレビジョン４０は、この場合、一般放送受信用の家庭用のものである。
【００１６】
そして、開閉蓋３の上面には、図４を参照して後述するカーソル４５を操作するためのカーソルキー７が設けられている。カーソルキー７には、４方向の矢印が記されており、押下された矢印の方向へカーソル４５を移動させることができる。また、プリンタケース２の上面側には、電源のオンまたはオフ処理をするための電源キー５と、カーソルキー７による選択を確定するための確定キー６と、が設けられている。これら電源キー５、確定キー６およびカーソルキー７は、コントロール部として機能する。さらに、ラベルプリンタ１は、プリンタケース２の側面に排出口２ａを備え、排出口２ａから、切断されたテープ（被印刷媒体）１２をラベル８として排出する。
【００１７】
次に、ラベルプリンタ１の詳細な構成について説明する。図２（ａ）は、テープカートリッジの外観を示す斜視図、図２（ｂ）は、開閉蓋を開放したラベルプリンタを示す斜視図である。図２（ａ）に示すテープカートリッジ１０は、長尺のテープ１２を内部に収容したものであって、テープカートリッジ１０の外観を形成するカートリッジケース１１と、カートリッジケース１１を貫通して設けられた貫通口１７と、貫通口１７の近傍に回転自在に立設されたプラテンローラ１８と、を有している。
【００１８】
また、テープカートリッジ１０は、テープ１２をロール状に巻き回して収容するテープリール１３と、テープ１２に印刷するためのインクを供給するインクリボン１４をロール状に巻き回したリボン繰出リール１５と、繰り出されたインクリボン１４を巻き取るリボン巻取リール１６と、を有しており、テープ１２の先端は、カートリッジケース１１の繰出口（不図示）からテープカートリッジ１０の外部へ引き出されている。
【００１９】
このような構成のテープカートリッジ１０において、テープ１２は、テープリール１３からプラテンローラ１８と貫通口１７との間を経て繰出口へ至り、インクリボン１４は、リボン繰出リール１５からプラテンローラ１８の位置でテープ１２と重なった後、貫通口１７を周回してリボン巻取リール１６へ至っている。
【００２０】
なお、テープ１２は、印刷情報を印刷する印刷面と印刷面の裏側の接着面とを有する印刷テープと、印刷テープの接着面側に積層された剥離テープと、を有していて、印刷された印刷テープは、剥離テープから剥がされてラベル８として貼付できるようになっている。テープカートリッジ１０は、カートリッジケース１１に収容されているテープ１２の色、厚み、幅などが異なる複数種のものが用意されている。
【００２１】
また、テープカートリッジ１０を装着するラベルプリンタ１は、図２（ｂ）に示すように、開閉蓋３の直下の内部にカートリッジ装着部２０を有している。カートリッジ装着部２０は、テープカートリッジ１０の装着位置を決めるための位置決め軸２１と、テープカートリッジ１０のプラテンローラ１８と係合するプラテン駆動軸２３と、リボン巻取リール１６と係合するリボン駆動軸２４と、テープカートリッジ１０が装着されるとプラテンローラ１８に対してテープ１２およびインクリボン１４を介して対峙するヘッドユニット（印刷部）２２と、を有している。
【００２２】
さらに、ラベルプリンタ１の内部には、電源である乾電池２９と、カートリッジ装着部２０と排出口２ａとの間にテープ１２を切断する切断部２８と、が収容されていて、ラベルプリンタ１の底部には、マイクロスイッチによってテープカートリッジ１０の種類および装着の有無を検出するカートリッジ検出部２５が設けられている。
【００２３】
このような構成のラベルプリンタ１において、カートリッジ装着部２０へテープカートリッジ１０が装着され、開閉蓋３が閉じられると、開閉蓋３に連動してヘッドユニット２２がテープ１２およびインクリボン１４をプラテンローラ１８へ押し付ける。テープ１２およびインクリボン１４は、プラテンローラ１８の側から剥離テープ、印刷テープ、インクリボン１４の順にヘッドユニット２２によって挟持されている。そして、プラテン駆動軸２３およびリボン駆動軸２４へ図示していないモータからの駆動力が伝達されて、それぞれ回転すると、プラテン駆動軸２３は、プラテンローラ１８を回転させて、テープ１２をテープリール１３から繰り出す。また、リボン駆動軸２４は、リボン巻取リール１６を回転させて、テープ１２の繰出し速度に連動してインクリボン１４を巻き取る。そして、ヘッドユニット２２は、印刷情報に基づいて発熱し、インクリボン１４のインクを印刷テープへ転写する。こうして、テープ１２へ印刷情報が印刷される。
【００２４】
次に、ラベルプリンタ１の構成とその制御について説明する。図３は、ラベルプリンタの制御部の構成を示すブロック図である。図３に示すように、ラベルプリンタ１は、ヘッドユニット２２、カートリッジ検出部２５、電源キー５、確定キー６、カーソルキー７および切断部２８を構成要素として備え、印刷情報の作成または印刷時には、端子９（図１）を介してテレビジョン４０と接続されている。制御部３０は、これら構成要素を制御してラベルプリンタ１を機能させる。
【００２５】
制御部３０は、制御部３０の全体を制御するＣＰＵ（Central  Processing  Unit）３１と、ＣＰＵ３１が実行するためのプログラム等を記憶しているＲＯＭ（Read  Only  Memory）３２と、作成中の印刷情報またはＲＯＭ３２から呼び出した印刷情報などを一時的に記憶しておくＲＡＭ（Random  Access  Memory）３３と、切断部２８を制御する切断制御部３４と、ヘッドユニット２２を制御する印刷制御部３５と、カートリッジ検出部２５を制御する検出制御部３６と、テレビジョン４０、電源キー５、確定キー６およびカーソルキー７の入出力を制御する入出力制御部３７と、を有している。この場合、ＲＯＭ３２は、書き換え自在で印刷情報の保存が可能なフラッシュＲＯＭである。
【００２６】
このような構成の制御部３０は、電源キー５が押下されると、ラベルプリンタ１のオン状態およびテレビジョン４０の接続の有無を、入出力制御部３７がＣＰＵ３１に送信し、ＣＰＵ３１は、テレビジョン４０が接続されていることを確認すると、テレビジョン画面にＲＯＭ３２が記憶している表示画面を映し出す指示をする。そして、ＣＰＵ３１は、表示画面に基づいて、カーソルキー７および確定キー６によって入力される情報に応じて、新規に印刷情報を作成する。また、印刷情報を新規作成せず、ＲＯＭ３２に保存されている印刷情報を呼び出して、表示画面に表示することもできる。なお、カーソルキー７および確定キー６による入力および呼び出しの方法については、図４を参照して後述する。このようにして作成または呼び出された印刷情報は、ＲＡＭ３３に一時保存される。
【００２７】
そして、カーソルキー７および確定キー６によって印刷情報の印刷が入力されると、ＣＰＵ３１は、検出制御部３６を介して、カートリッジ検出部２５によってテープカートリッジ１０の装着がなされていることを確認し、ヘッドユニット２２によるテープ１２への印刷情報の印刷実行を、印刷制御部３５へ指示する。印刷情報の印刷が終了すると、ＣＰＵ３１が切断制御部３４へ指示して、切断部２８によるテープ１２の切断が行われる。これらＣＰＵ３１、ＲＯＭ３２、ＲＡＭ３３、切断制御部３４、印刷制御部３５、検出制御部３６、入出力制御部３７は、内部バス３９を介して相互に接続されて機能する。
【００２８】
次に、カーソルキー７および確定キー６による印刷情報の入力および呼び出しの方法について説明する。図４は、テレビジョンに表示された表示画面例を示す模式図である。図４に示すように、テレビジョン４０の画面に表示された表示画面４１には、新規作成またはＲＯＭ３２から呼び出された印刷情報を表示するための領域である表示領域部４２と、印刷情報を新規に作成する場合に選択する新規作成ボタン４３と、ＲＯＭ３２に保存されている印刷情報を呼び出す場合に選択する呼び出しボタン４４と、新規に作成した印刷情報またはＲＯＭ３２から呼び出して修正した印刷情報を保存する場合に選択する保存ボタン５６と、表示領域部４２に表示されている印刷情報を削除する場合に選択する削除ボタン５７と、表示領域部４２の印刷情報の表示をスクロールするためのスクロールボタン４６と、が表示されている。
【００２９】
新規作成ボタン４３等の選択は、まず、カーソルキー７（図１）の操作により、棒状に表示されているカーソル４５を新規作成ボタン４３の位置へ移動させる。カーソル４５が位置した新規作成ボタン４３は、表示色が変わり、選択された状態であることを示す。次いで、確定キー６（図１）を押下すると、ラベルプリンタ１が印刷情報を新規作成するモードとなって機能することが確定される。同様に、呼び出しボタン４４を選択し確定すると、ＲＯＭ３２に保存されている印刷情報が、表示領域部４２へ表示される。
【００３０】
また、表示画面４１には、印刷情報のフォントを選択するためのフォントボタン４７、と、フォントの大きさを選択するためのサイズボタン４８と、印刷情報が印刷される長尺のテープ１２の幅寸法を選択してフォントサイズとのミスマッチを防止するためのテープ幅ボタン４９と、が表示されている。これらフォントボタン４７、サイズボタン４８およびテープ幅ボタン４９は、共にプルダウンメニューを有し、フォントボタン４７では、ゴシック体や明朝体等の書体の選択ができ、サイズボタン４８およびテープ幅ボタン４９では、フォントの大きさおよびテープ１２の幅寸法の選択ができるようになっている。
【００３１】
また、表示領域部４２の下方には、印刷情報を作成するためのフォントの一覧を表示する入力表５０が表示されている。一例として、印刷情報が和文であれば、五十音文字のいずれかに該当するボタンを選択して、画面に文字表示をする。そして、印刷情報に該当する文字が表示されているボタンを順に選択し、さらに、漢字変換等の機能を有するボタンを選択するなどして、和文の印刷情報を作成する。図４では、入力表５０に「ひらがな」が表示されている場合を示している。この場合、「ひらがな」の文字一つ一つが、新規作成ボタン４３等と同様に、直接、選択および確定できる設定である。そのため、確定した文字は、順に表示領域部４２へ印刷情報として表示される。ここで、入力表５０に「ひらがな」以外の「カタカナ」や「英数字」等を表示させるには、入力表５０に隣接表示されている入力表切替ボタン５１のプルダウンメニューから選択する。「カタカナ」や「英数字」等も、「ひらがな」と同様に、直接、選択および確定することができ、印刷情報の作成が行える。
【００３２】
さらに、入力表切替ボタン５１の下方には、変換ボタン５２、修正ボタン５３、印刷ボタン５４および印刷方向ボタン５５が表示されている。変換ボタン５２は、「ひらがな」で入力された文字列を「ひらがな」のままとするか、または漢字へ変換するためのものであり、変換する候補の漢字は、該当するものがすべて表示される。候補の漢字の中から、該当する漢字をカーソルキー７で選択し、確定キー６を押下して確定する。確定した漢字は、「ひらがな」に換わって表示領域部４２に表示される。修正ボタン５３は、確定キー６で修正を確定する毎に、表示領域部４２の表示が直前の操作状態へ順に戻り、該当箇所の修正が行える。印刷ボタン５４は、表示領域部４２に表示されている印刷情報を印刷するためのものである。印刷ボタン５４を確定キー６で確定すると、印刷が開始される。印刷方向ボタン５５は、テープ１２に印刷する印刷情報の印刷を縦方向に行うか、あるいは横方向に行うかを選択するものであり、印刷ボタン５４の確定前に選択および確定しておく。
【００３３】
このようにして作成した印刷情報を保存しておく場合は、保存ボタン５６を選択および確定して、ＲＯＭ３２へ保存する。こうして保存しておけば、呼び出しボタン４４によって、いつでも呼び出して表示領域部４２へ表示することができ、再度作成する手間を省くことができる。なお、表示画面４１において、表示領域部４２以外は、すべてボタン部として機能する。さらに、ラベルプリンタ１は、テレビジョン４０を通して、操作方法等を案内するための音声ガイドの併用も可能である。
【００３４】
次に、ラベルプリンタ１によるラベル８の作成について、フローにまとめて説明する。図５は、ラベルの作成手順を示すフローチャートである。この場合、印刷情報は、新規に作成するものとし、図２および図４も参照して説明する。まず、ステップＳ１のラベルプリンタ準備工程において、ラベルプリンタ１の稼働を開始するための準備をする。具体的には、乾電池２９の装着の確認、視認窓３ｂからのテープカートリッジ１０の装着確認および接続するテレビジョン４０の用意等である。
【００３５】
次に、ステップＳ２のテレビジョン接続工程において、接続ケーブル９ａでテレビジョン４０をラベルプリンタ１の端子９へ接続する。これで、ラベルプリンタ１およびテレビジョン４０の電源がオンされれば、ラベル８の作成が開始できる状態になる。
【００３６】
ステップＳ３は、ラベル８の作成を開始するための入力準備工程であって、まず、ラベルプリンタ１の電源キー５を押下してオンにし、テレビジョン４０も電源をオンにして、画面に表示画面４１を表示させる。この場合、印刷情報の新規作成であるため、カーソルキー７で、表示画面４１に表示されている新規作成ボタン４３へカーソル４５を移動させ、確定キー６で確定する。また、フォントボタン４７、サイズボタン４８およびテープ幅ボタン４９をカーソルキー７でそれぞれ選択して、プルダウンメニューを表示させ、例えば図４に示すように、フォントはゴシック体、フォントサイズは１２、テープ幅は１８ｍｍを、それぞれ確定キー６で確定する。なお、テープ幅はカートリッジ検出部２５により検出して表示するようにしてもよい。そして、入力表切替ボタン５１のプルダウンメニューから「ひらがな」を選択し確定する。これらの選択により、「ひらがな」の五十音文字に該当する各ボタン部を順に選択および確定して、印刷情報を作成するための入力が可能な状態となる。
【００３７】
ステップＳ４は、入力準備工程の設定に基づいて、印刷情報を入力する印刷情報入力工程である。印刷情報の入力は、図４に示す入力表５０から該当する「ひらがな」のボタン部を、カーソルキー７で選択し、確定キー６で確定する。確定した「ひらがな」は、表示領域部４２に表示される。そして、表示領域部４２に表示された「ひらがな」を漢字に変換するか、またはそのままひらがな表示とするかは、変換ボタン５２をカーソルキー７で選択し、確定キー６で確定することにより行う。つまり、変換ボタン５２を選択することにより表示される変換候補の中から、該当するメニューをカーソルキー７で選択し、確定キー６で確定する。
【００３８】
具体的に、例えば「印刷」を作成する場合、入力表５０の「い」を選択および確定し、その後、順に、「ん」「さ」「つ」を選択および確定する。ここで、表示領域部４２には、「いんさつ」の表示がなされている。次に、変換ボタン５２を選択および確定して、変換候補を表示させ、変換候補の中から、漢字の「印刷」を選択および確定する。表示領域部４２には、「印刷」の表示が「いんさつ」に換わって表示される。同様にして、「印刷」以降の印刷情報の作成を続けて行う。「カタカナ」や「英数字」を印刷情報とする場合には、都度、入力表切替ボタン５１を選択および確定して該当する入力表５０を表示させることにより、所望の印刷情報が作成できる。印刷情報の作成後、テープ１２へ印刷を行う。
【００３９】
ステップＳ５は、印刷工程であって、作成した印刷情報の印刷を行う。印刷を行うための手順は、表示画面４１の印刷ボタン５４を選択および確定することにより、ヘッドユニット２２が駆動してテープ１２へ印刷がなされる。印刷時には、印刷方向ボタン５５の「横」または「縦」の表示が所望の印刷方向であるか否かを確認し、否である場合には、プルダウンメニューの中から設定する方向を選択および確定しておく。これにより、ラベルプリンタ１は、ヘッドユニット２２によりテープ１２へ印刷情報を印刷し、切断部２８によりテープ１２を切断して排出口２ａから排出する。ラベルプリンタ１から排出されたテープ１２は、ラベル８として使用される。
【００４０】
以下、実施形態の主な効果をまとめて記載する。
【００４１】
（１）ラベルプリンタ１は、テレビジョン４０の画面に、表示画面４１を視認し易いように大きく表示する。そして、表示画面４１に基づき、ラベルプリンタ１のカーソルキー７および確定キー６のみを操作することにより、印刷情報の作成および印刷をすることができる。このように、ラベルプリンタ１は、キーボードが不要なシンプルな構成であり、小型化を図ることができることに加え、キーボードの操作が苦手なユーザーや、小さなキーボードでは操作が難しいと感じるユーザーにとっても、操作しやすいものである。
【００４２】
（２）印刷情報を作成するための入力表５０は、「ひらがな」や「英数字」等を一覧にしてすべて表示している。そのため、該当する文字等を直接視認しつつ選択することができ、操作ミスを防止して確実な入力が行える。
【００４３】
（３）印刷情報が印刷されるテープ１２は、カートリッジケース１１に収容されており、長尺であっても、ラベルプリンタ１への装着が容易に且つ迅速に行え、また、印刷時に、ヘッドユニット２２への供給もスムーズに行える。
【００４４】
また、ラベルプリンタ１は、上記の実施形態に限定されるものではなく、次に挙げる変形例のような形態であっても、実施形態と同様な効果が得られる。
【００４５】
（変形例１）テレビジョン４０の表示画面４１に基づき、カーソルキー７や確定キー６を操作して印刷情報の作成および印刷をする印刷装置は、ラベル８を作成するラベルプリンタ１に限定されるものではなく、定型紙、ロール紙等を用いるタイプのものであっても良い。
【００４６】
（変形例２）ラベルプリンタ１とテレビジョン４０との接続は、接続ケーブル９ａによる有線接続に限定されることなく、無線通信による接続であっても良い。接続ケーブル９ａを準備することなく、ラベルプリンタ１のみを手軽に持ち運んで、ラベル８の作成ができる。
【００４７】
（変形例３）外部表示装置は、家庭用のテレビジョン４０に限らず、パーソナルコンピュータ用のモニターやカーナビゲーションの表示部等であっても良い。これにより、種々の表示装置を外部表示装置として使用でき、特定の場所での使用に限定されないため、ラベルプリンタ１のモバイル性をより発揮することができる。
【００４８】
（変形例４）ラベルプリンタ１の電源として、乾電池２９を使用しているが、乾電池２９以外の充電可能な２次電池の使用や、電源コードを用いて外部電源から電力供給を受ける形態等であっても良い。ラベルプリンタ１の使用される環境に応じて、柔軟な電源選択ができる。
【００４９】
（変形例５）ラベルプリンタ１の確定キー６は、カーソルキー７と一体に組み込んだ構成であっても良い。カーソルキー７による選択後の確定操作がより迅速に行え、また、キー設置スペースの節減が図れる。
【００５０】
（変形例６）ラベルプリンタ１の切断部２８は、印刷テープのみを切断するハーフカット機構をさらに有する構成であっても良い。ハーフカットを有するラベル８は、印刷テープを剥離テープから剥離しやすく、扱いやすいものになる。
【００５１】
（変形例７）ラベルプリンタ１は、スロットを備え、外部メモリーが挿抜可能な構成であっても良い。この構成によれば、スロットに装着された外部メモリーから外国語の文字一覧を呼び出して、表示画面４１の入力表５０へ表示すること等ができる。これにより、「ひらがな」「英数字」では表現できない各国語による印刷情報であっても、容易に作成できる。なお、スロットに替えて、インターネット等から外国語をダウンロードして表示画面４１に表示する構成も可能である。
【００５２】
（変形例８）ラベルプリンタ１は、テレビジョン４０と接続されていない状態において、カーソルキー７と確定キー６とを組み合わせて押下すること等により、ＲＯＭ３２に保存されている印刷情報を印刷することができる構成であっても良い。これにより、ラベルプリンタ１単体であっても、印刷情報の印刷が可能である。
【図面の簡単な説明】
【００５３】
【図１】本実施形態にかかるラベルプリンタおよびラベルプリンタへ接続されたテレビジョンの斜視図。
【図２】（ａ）テープカートリッジの外観を示す斜視図、（ｂ）開閉蓋を開放したラベルプリンタを示す斜視図。
【図３】ラベルプリンタの制御部の構成を示すブロック図。
【図４】テレビジョンに表示された表示画面例を示す模式図。
【図５】ラベルの作成手順を示すフローチャート。
【符号の説明】
【００５４】
１…印刷装置としてのラベルプリンタ、２…プリンタケース、３…開閉蓋、５…電源キー、６…コントロール部としての確定キー、７…コントロール部としてのカーソルキー、８…ラベル、９…接続部としての端子、９ａ…接続ケーブル、１０…テープカートリッジ、１２…被印刷媒体としてのテープ、２０…カートリッジ装着部、２２…印刷部としてのヘッドユニット、２３…プラテン駆動軸、２４…リボン駆動軸、２５…カートリッジ検出部、２８…切断部、２９…乾電池、３０…制御部、４０…外部表示装置としてのテレビジョン、４１…表示画面、４２…表示領域部、４５…カーソル、４７…フォントボタン、４８…サイズボタン、４９…テープ幅ボタン、５０…入力表、５１…入力表切替ボタン、５２…変換ボタン、５３…修正ボタン、５４…印刷ボタン、５５…印刷方向ボタン、５６…保存ボタン、５７…削除ボタン。
【図１】
2009096030.tif 000003
【図２】
2009096030.tif 000004
【図３】
2009096030.tif 000005
【図４】
2009096030.tif 000006
【図５】
2009096030.tif 000007